(57)【要約】【課題】パウチ容器にノッチを設けた場合に、そのノッチがパウチ容器の外周に位置することがなく、したがって、パウチ容器の輸送や流通の過程で他の外物との不時の接触なので外力が加わる事故を避けることができ、また、開封操作時にはタブやノッチに隣接するシール部が掴み易く容易に開封操作をすることができるパウチ容器の開発【解決手段】フィルム状のパウチ片の対向する縁部をシールして形成したシール部を有してパウチ片の間にパウチ内空間を形成したパウチ容器1において、前記シール部の開封予定部分にノッチ２２（２７）を形成し、前記シール部のうちの少なくとも前記ノッチの形成された部分を前記シール部の内縁に沿った折れ目線２８（３１）で折り返してなる【選択図】  図１
2009137605.tif 000002
【特許請求の範囲】
【請求項１】
フィルム状のパウチ片の対向する縁部をシールして形成したシール部を有してパウチ片の間にパウチ内空間を形成したパウチ容器において、前記シール部の開封予定部分にノッチを形成し、前記シール部のうちの少なくとも前記ノッチの形成された部分を前記シール部の内縁に沿った折れ目線で折り返してなることを特徴とするパウチ容器
【請求項２】
前記シール部はパウチ容器の左右の両側若しくは片側に形成されていることを特徴とする請求項１記載のパウチ容器
【請求項３】
前記ノッチはパウチ容器の左右の両側若しくは片側のシール部に形成されていることを特徴とする請求項１または２記載のパウチ容器
【請求項４】
前記ノッチは内容物を収容する胴部または前記胴部に連通する通路を有するノズル部のシール部に形成されることを特徴とする請求項１から３のいずれか１記載のパウチ容器
【請求項５】
前記ノッチが形成されたシール部の反対側のシール部を、前記反対側のシール部の内縁に沿った折り返し線で折り返すことを特徴とする請求項１から４のいずれか１項に記載のパウチ容器
【請求項６】
前記折れ目線は前記シール部上に形成されまたは前記シール部の内縁の内側の未シール部分に形成されることを特徴とする請求項１から５のいずれか１に記載のパウチ容器
【発明の詳細な説明】
【技術分野】
【０００１】
この発明は開封を容易にするためのノッチを持つパウチ容器に関するものである。
【背景技術】
【０００２】
パウチ容器は変形可能な袋状の軟質容器であって、液体内容物を収容する容器として、ボトルなどの硬質容器とともに多く、生産され、使用されている。
パウチ容器は可撓性のフィルム状材料からなるパウチ素材片である正面片と背面片を縁部でサイドシールして内容物充填用の空所を持つ胴部やそれに連通する注出用のノズル部を構成し、さらにパウチ容器の他の種類においては、底部も底面片を二つ折にして、正面片と背面片の間に挟み込んで縁部でヒートシールして展開可能な底部を構成した自立性のあるスタンディングパウチを構成する。
こうして構成されるパウチ容器は一般には液体などの内容物、例えば洗剤、漂白剤、柔軟剤、洗濯糊、シャンプー、リンス、あるいは食用油、醤油、ソース、ドレッシング、飲料水など、を充填する。
【０００３】
パウチ容器をスタンディングパウチとして構成した場合、スタンディングパウチは、液体などの内容物などを充填した状態で、底部を下にして起立状態で店頭等に展示される場合があるが、構成する正面片や背面片自体はフィルム状の可撓性の高い素材で構成されているので、パウチ容器自体の剛性が低く、起立した状態で姿勢が保ちにくいのであるが、パウチ容器の縁部のサイドシール部はシールの際に加熱されているので、冷却固化した状態では硬度がきわめて高く、パウチ容器に剛性を持たせることができて、パウチ容器に起立した姿勢を持たせることができ、展示状態において立ち姿を保たせることできる。
一方、図１１に示すように、パウチ容器の胴部やノズル部に易開封用のノッチ１２２、１２７をシール部に設けることがあるが、このようなノッチはパウチ容器の外周に位置するために、パウチ容器内に内容液を充填した後の輸送や流通の過程で加わる外力によりノッチが裂けてイレギュラーに開封してしまうことがある。
【０００４】
また、このノッチを使用して開封する場合に、ノッチに連続するシール部やノッチに連続して設けたタブに引っ掛かりないので、指が滑り易く、開封に必要な力がタブやノッチに加わらず、使用者に大きな開封力が必要であると感じさせたり、少しでもタブや指が濡れていると指が滑って開封ができないことがある。
【０００５】
【特許文献１】特開２０００−１４２７２０号公報
【発明の開示】
【発明が解決しようとする課題】
【０００６】
このようなことから、パウチ容器にノッチを設けた場合に、そのノッチがパウチ容器の外周に位置することがなく、したがって、パウチ容器の輸送や流通の過程で他の外物との不時の接触などで外力が加わる事故を避けることができ、また、開封操作時にはタブやノッチに隣接するシール部が掴み易く容易に開封操作をすることができるパウチ容器の開発が望まれている。
【課題を解決するための手段】
【０００７】
この目的に対応して、この発明のパウチ容器はフィルム状のパウチ片の対向する縁部をシールして形成したシール部を有してパウチ片の間にパウチ内空間を形成したパウチ容器において、前記シール部の開封予定部分にノッチを形成し、前記シール部のうちの少なくとも前記ノッチの形成された部分を前記シール部の内縁に沿った折れ目線で折り返してなることを特徴としている。
【発明の効果】
【０００８】
請求項１に記載の発明によれば、パウチ容器のシール部の開封予定部分にノッチを形成した場合に、そのノッチを形成した部分のシール部はシール部の内縁に沿った折れ目線で内側に折り返されるので、ノッチの位置がパウチ容器の外縁部からパウチ容器のシール部が胴部と重なる内側の位置に移動することとなる。その結果、パウチ容器は輸送や流通の過程で他の外物と接触したり、衝突したりする場合でも、その部位は主としてパウチ容器の外縁部に位置することとなった折れ目線の部分であって、それよりも内側にあるノッチの部分に外物が接触したり衝突したりする機会は少なくなり、ノッチがイレギュラーに開封することがないパウチ容器を得ることができる。
【０００９】
請求項２に記載の発明によれば、シール部がパウチ容器のパウチ素材片が１枚でパウチ容器の片側の縁だけに設けられている場合も、或いはパウチ容器が２枚の重なったパウチ素材片で構成されていて、シール部が左右の両側縁に設けられている場合にも、この発明を適用することができて、パウチ容器の形式を選択する場合の自由度が大きくなる。
【００１０】
請求項３に記載の発明によれば、ノッチがパウチ容器の左右の両側の縁のどちらかの側の縁若しくは両側縁に形成される場合でも、この発明を適用することができるので、パウチ容器の形成を選択する場合の自由度が大きくなる。
【００１１】
請求項４に記載の発明によれば、ノッチが胴部またはノズル部のいずれに形成される場合でもこの発明を適用することができるので、パウチ容器の形式を選択する場合の自由度が大きくなる。
【００１２】
請求項５に記載の発明によれば、両側縁に折れ目線が形成されるので、パウチ容器の形状保持性が向上する。
【００１３】
請求項６に記載の発明によれば、折れ目線が硬いシール部に形成されるので、シール部の剛性ひいてはパウチ容器の形状保持性能が向上し、ノッチに隣接したタブの掴み具合が良好になる。
【００１４】
また折れ目線がシール部の内縁よりも内側の胴部またはノズル部の柔らかい未シール部分に形成される場合は、胴部またはノズル部の外側縁が柔らかな未シール部分で構成されることになるので、パウチ容器を掴むときの掌の感触が柔らかく心地良いものになる。
【発明を実施するための最良の形態】
【００１５】
以下、この発明の詳細を最良の実施形態について図面を参照しながら説明する。
【００１６】
図１から図４において、１はパウチ容器である。パウチ容器１は、３片のパウチ素材片すなわち正面片２、背面片３及び底面片４の３片からなる。それぞれの面片は可撓性のフィルム材からなり、正面片２と背面片３とは対向して位置し、左右の両辺縁でヒートシールしてサイドシール５、６を構成して、パウチの胴部７を構成し、また胴部７の下端のパウチ容器の底部に相当する部分では正面片２と背面片３の間に２つ折りにした底面片４が挟み込まれ、底面片４の周縁部が正面片２、背面片３とヒートシールしてボトムシール８を構成してパウチ容器の底部１１を構成する。胴部７は正・背両面片２、３と底面片４で囲まれた空所１０を構成し、この空所１０には後に内容物を充填するが、内容物は空所１０の上端から充填されるのであり、したがって、内容物が未充填のときは正面片２と背面片３の上辺縁１２はシールされていない未シール部分となっており、この部分は充填後シール予定部３５である。胴部７にかかる開封予定部分２０には易開封線２１が胴部７を横断して設けられている。一方サイドシール５、６にかかる開封予定部分２０にはノッチ２２が形成されている。ノッチ２２は易開封線２１に対応する位置に形成される。ノッチ２２を形成するサイドシールは左サイドシール５若しくは右サイドシール６または左右両方のサイドシール、５、６のいずれであってもよい。形成されるノッチ２２はサイドシール５、６の外縁から内側に向って形成された切り込みであるが、ノッチ２２の底部をなす内端３６はサイドシールの内縁５３には達していない。
【００１７】
ノッチ２２の形状はＶ字状のほか、Ｕ字状や直線の切り込みなどでもよい。
ノッチ２２が形成された左サイドシール５及び右サイドシール６は、後述する折れ目線２８よりも中央寄りのシールされていない空所１０に対応する正面片２または背面片３に重なるように折り返されて折り返し部３３を形成している。折り返しの折れ目線２８はサイドシール５、６の直近にサイドシール５、６に沿って形成されている。折れ目線２８は少なくとも開封予定部分２０に形成され、サイドシール５、６の全長、またはその一部分若しくは延長部分に沿って位置するが、空所１０とサイドシール５、６の内縁５３よりもわずかに空所１０側に入ったところに位置する。したがって折り返される折り返し部３３は折れ目線２８より外側のサイドシールに隣接しているシールされていない空所の部分とサイドシールとで構成されていることになる。折れ目線２８におけるサイドシール５、６の折り返しの方向は同じ方向に、すなわち同じく正面片２または背面片３に重なる方向、または逆の方向、つまり正面片２及び背面片３が異なる胴材に重なる方向でもよい。
折り返しの成形方法は、パウチ容器の公知の製袋工程において、サイドシールの形成の後に、切り離し工程でカッターによりパウチ容器毎に、切り離された後金型を使用して折り曲げる。
このように構成されたパウチ容器１の作用は次の通りである。
製袋工程で製造されたパウチ容器１に対して充填工場において、上辺縁１２の注入口をなす充填後シール予定部３５から内容物が充填され、充填後シール予定部３５がシールされて、パウチ容器詰が完成する。
パウチ容器詰を開封する場合は図５に示すように、ノッチ２２を境にして下隣りのサイドシール部分５ｂを裏の未シールの胴部ごと一方の手の指で掴んだ状態で他方の手の指を胴部７の表面を案内として滑らせて進めて行くと上隣りのサイドシール部分５ａの外縁に突き当たるので、上隣のサイドシール部分５ａをタブ３７として利用して他方の手の指で摘まんでノッチ２２の内端３６に向って引き起こす。この上隣りのサイドシール部分５ａはノッチ２２の存在によって下隣りのサイドシール部分５ｂから分離しているので、下隣りのサイドシール部分５ｂから拘束されずに自由に変形して引き起こされる。この引き起こしがノッチ２２の内端３６を越えると、ノッチの内端３６から易開封線２１に沿って引き裂き開口が開始し、最後に開封が完了する。ノッチ２２は折り返された際に下側の切り込み縁が易開封線２１と重なるようにすると、開封時の案内となって更に開封しやすくできる。
【００１８】
次にパウチ容器１の上端部の隅角部に注出ノズル１３を設け、この注出ノズル１３に開封予定部分４１を設ける場合について説明する。
【００１９】
図６に示すように、注出ノズル１３は２枚の胴材すなわち正面片２と背面片３を利用して形成されている。また、正面片２、背面片３にはリブ２５が形成されている。注出ノズル１３は液通路１４を区画する筒部１５と、筒部１５の両側にあるヒートシールによって形成されたサイドシール１６、１７とからなっている。液通路１４の基端部は胴部７の空所１０に連通し、上端部の注出口１８はタブ２３で閉じられている。注出ノズル１３の開封予定部分４１には注出口１８となる易開封線２６が注出ノズル１３を横断して正面辺２と背面辺３に設けられている。一方、右サイドシール１７の開封予定部分４１にはノッチ２７が形成されている。ノッチ２７は易開封線２６に対応する位置に形成されている。但し、ノッチ２７は左サイドシール１６若しくは右サイドシール１７または左右両方のサイドシール１６、１７であってもよい。
【００２０】
ノッチ２７は形成するヒートシール部の外縁から内側に向って形成された切り込みであるが、ノッチ２７の内端はヒートシール部の内縁には達していない。
ノッチ２７の形状はＶ字状のほか、Ｕ字状や直線の切り込みなどでもよい。注出ノズル１３においてもノッチ２７が形成された左右のサイドシール１６、１７が後述する折れ目線３１よりもノズル中央寄りのシールされていない液通路１４に対応する正面片２または背面片３に向って折り返されている。
注出ノズル１３に折り返し部３４を形成する場合には折り返し部３４の折れ目線３１は少  
【００２１】
なくとも開封予定部分４１に形成され、サイドシール１６、１７の直近に左右のサイドシール１６、１７の全長またはその一部分若しくは延長部分に沿って位置するが、注出ノズル１３の筒部１５側に入ったところに位置する。したがって折り返される折り返し部３４は折れ目線３１より外側のサイドシール１６、１７に隣接しているシールされていない筒部１５の部分とサイドシール１６、１７とで構成されていることになる。
折れ目線３１におけるサイドシール１６、１７の折り返しの方向は、前述のサイドシール５、６の場合と同様に、同じ方向に、すなわち同じく正面片２または背面片３に重なる方向、または逆の方向、つまり正面片２及び背面片３が異なる胴材に重なる方向でもよい。折り返しの成形方法は、パウチ容器の公知の製袋工程において、サイドシールの形成の後に、切り離し工程でカッターによりパウチ容器毎に、切り離された後金型を使用して折り曲げる。
【００２２】
このように構成された注出ノズル１３を開封する場合は、図７に示すように、ノッチ２７の上隣りのサイドシール１７ａをタブ２３として利用して摘んで易開封線２６に沿って引き裂き開口する。ノッチ２７は、折り返された際に下側の切り込み縁が易開封線２６と重なるようにすると、開封時の案内となって更に開封しやすくできる。
このパウチ容器１は開封予定部分のサイドシール５、６、また注出ノズル１３を設けて、そこに開封予定部分を設けた場合にはサイドシール１６、１７に易開封用のノッチ２２、２７が形成されており、そのノッチ２２、２７が形成されたサイドシールはサイドシールの内縁に沿った折れ目線で内側に折り返されるので、ノッチの位置がパウチ容器の最外周縁からパウチ容器のサイドシールが胴部と重なる内側の位置に移動することになる。その結果、パウチ容器は輸送や流通の過程で他の外物と接触したり、衝突したりする場合でもその部位は主としてパウチ容器の最外周縁に位置することとなった折れ目線の部分であって、それよりも内側にあるノッチの部分に外側が接触したりする機会は少なくなり、ノッチがイレギュラーに開封することはない。
【００２３】
またこのノッチを使用して開封する場合に、サイドシールのノッチの上隣りのサイドシール部分をタブとして利用することができるが、このタブはパウチ容器の胴部の上に折り重なった状態であるので、胴部の表面からわずかに段差があることになり、胴部の表面を案内として手指がタブに引っかかり易く、タブを摘み易いので、開封に必要な力をノッチにかけ易く、パウチ容器の開封操作が容易になる。また、外周縁にノッチが形成される通常のパウチ容器では、ノッチの上隣りと下隣りを摘んで引き裂く際の引き裂き角度が９０度程度となるのに対し、本発明では１８０度近くになるので、より大きな力を集中できる。
図１では胴部に、図６ではノズル部に本発明を適用した実施態様を示したが、胴部とノズル部の双方に本発明を適用してもよい。
【他の実施態様】
【００２４】
以上説明した第１の実施態様に係るパウチ容器では、サイドシールの位置としてはサイドシール５、６はパウチ容器１の左右両側に形成され、ノッチの位置としては、パウチ容器の胴部の左右のサイドシールのうちの一方のサイドシールに形成し、折れ目線の位置としては、サイドシールにかからないでサイドシールの内縁５３からわずかに胴部の未シール部に入った位置に形成された実施態様のパウチ容器であるが、これらに限らず、他の実施態様のパウチ容器ではサイドシールの位置としては図８に示すように、一枚のパウチ素材片３８を２つ折りにして、パウチ胴部を構成した場合のパウチ胴部の一方の側に対向しているパウチ素材の左右辺縁部だけに形成したサイドシール５５としても良い。
またノッチの位置としてはパウチ胴部の左右のサイドシールの両方に形成しても良く、またノズル部においても左右のサイドシールの一方若しくは両方に形成しても良い。さらに折れ目線の位置としては図９及び図１０に示すようにサイドシールのシール幅内に形成しても良い。
【００２５】
この場合に折れ目線２８がノッチ２２にかかるようにしてもよく（図９）、または折れ目線２８がノッチ２２にかからないように構成してもよい（図１０）。さらにサイドシール部の内縁に一致させて折り返しても良い。
ノズル部を形成したパウチ容器において、ノッチを形成したノズル部のサイドシールを折り返すとともに、ノッチのない胴部のサイドシールを折り返してもよい。
図１１に示す実施態様はパウチ容器１の上端部の隅角部に注出ノズル１３を設け、この注出ノズル１３に開封予定部分４１を設ける場合に、注出ノズル１３は、ノッチ２７のある片側だけが折れ目線３１で折り返されており、かつ同じ側の胴部７も折れ目線２８で折り返してある例である。
この例では、ノズル部の折り返し部と胴部の折り返し部とが左右の同じ側にあるので、一度の加工で同時に形成することができる。
以上の説明から明らかな通り、この発明によれば、開封操作時には、タブやノッチに隣接するシール部が掴み易く容易に開封操作をすることができるパウチ容器を得ることができる。
【図面の簡単な説明】
【００２６】
【図１】この発明のパウチ容器の正面説明図
【図２】図１における易開封線２１に沿った断面説明図
【図３】胴部の拡大部分説明図
【図４】ノズル部の拡大部分説明図
【図５】開封前の胴部の開封予定部分を示す拡大部分説明図
【図６】開封動作を示す胴部の開封予定部分の拡大部分説明図
【図７】開封前のノズル部の開封予定部分を示す拡大部分説明図
【図８】この発明の他の実施態様のパウチ容器の説明図
【図９】この発明の他の実施態様のパウチ容器の拡大部分説明図
【図１０】この発明の他の実施態様のパウチ容器の拡大部分説明図
【図１１】この発明の他の実施態様のパウチ容器の拡大部分説明図
【図１２】従来のスタンディングパウチの正面説明図
【符号の説明】
【００２７】
１      パウチ容器
２      正面片
３      背面片
４      底面片
５      左サイドシール
５ａ    上隣りのサイドシール部分
５ｂ    下隣りのサイドシール部分
６      右サイドシール
７      胴部
８      ボトムシール
１０    空所
１１    底部
１２    上辺縁
１３    注出ノズル
１４    液通路
１５    筒部
１６    左サイドシール
１７    右サイドシール
１８    注出口
２０    開封予定部分
２１    易開封線
２２    ノッチ
２３    タブ
２５    リブ
２６    易開封線
２７    ノッチ
２８    折れ目線
３１    折れ目線
３３    折り返し部
３５    シール予定部
３６    内端
３７    タブ
４１    開封予定部分
５３    内縁（サイドシール部）
５５    サイドシール
１２２  ノッチ
１２７  ノッチ
【図１】
2009137605.tif 000003
【図２】
2009137605.tif 000004
【図３】
2009137605.tif 000005
【図４】
2009137605.tif 000006
【図５】
2009137605.tif 000007
【図６】
2009137605.tif 000008
【図７】
2009137605.tif 000009
【図８】
2009137605.tif 000010
【図９】
2009137605.tif 000011
【図１０】
2009137605.tif 000012
【図１１】
2009137605.tif 000013
【図１２】
2009137605.tif 000014